(57)【要約】【課題】遊技の趣向性を向上することが可能な弾球遊技機の提供を目的とする。【解決手段】本発明の弾球遊技機によれば、往復回動部材８０が第１位置のときに、第１受容部９０に遊技球が受容され、その遊技球の自重によって往復回動部材８０が第２位置に回動する。そして、第２位置で第１受容部９０から遊技球が排出され、往復回動部材８０が第１位置に戻る。この動作とは逆に、往復回動部材８０が第２位置で第２受容部９５（遊技球通過路１０２）に遊技球が受容され、第１位置で第２受容部９５（遊技球通過路１０２）から遊技球が排出される。このように、本発明の弾球遊技機では、往復回動部材８０が往復回動する度に、第１受容部９０と第２受容部９５（遊技球通過路１０２）とが遊技球を交互に受容及び排出するので、今までにない遊技球の挙動を楽しむことができる。【選択図】図６
2008062082.tif 000002
【特許請求の範囲】
【請求項１】
遊技球が流下する遊技領域に設けられ、第１位置と第２位置との間で往復回動可能に軸支された往復回動部材と、
前記往復回動部材を常には前記第１位置に保持する付勢手段と、
前記往復回動部材に形成されて、前記第１位置で遊技球を受容し、その遊技球の自重により前記付勢手段に抗して前記往復回動部材を前記第２位置まで回動させて、前記第２位置で前記遊技球を排出する第１受容部と、
前記往復回動部材に形成されて、前記往復回動部材が前記第２位置で遊技球を受容する一方、前記往復回動部材が前記第１位置に戻ると受容した遊技球を排出する第２受容部とを備え、
前記第１受容部を、前記往復回動部材に複数設け、それら複数の第１受容部のうち１つにのみ遊技球が受容されたときには、前記往復回動部材は回動せず、複数の前記第１受容部に遊技球が受容されたときに前記往復回動部材が回動するように構成したことを特徴とする弾球遊技機。
【請求項２】
前記第２受容部の回動領域に対向配置されて、前記往復回動部材が前記第２位置から前記第１位置に回動する迄の間で、前記第２受容部から遊技球が転落することを規制する転落規制壁を設けたことを特徴とする請求項１に記載の弾球遊技機。
【請求項３】
前記往復回動部材は、弾球遊技機の左右方向に延びた回動軸を中心に回動することを特徴とする請求項１又は２に記載の弾球遊技機。
【請求項４】
前記第１受容部は、前記往復回動部材の前面側を回動するように配置されたことを特徴とする請求項１乃至３の何れかに記載の弾球遊技機。
【請求項５】
前記第１受容部の回動領域の途中部分を前面側から覆う前面カバー壁を設けたことを特徴とする請求項１乃至４の何れかに記載の弾球遊技機。
【請求項６】
前記前面カバー壁の前面上縁部に、テーパー面を形成したことを特徴とする請求項５に記載の弾球遊技機。
【請求項７】
前記往復回動部材の外面には、軸方向に延びて遊技球を前記受容部に案内する案内溝が形成されたことを特徴とする請求項１乃至６の何れかに記載の弾球遊技機。
【請求項８】
前記付勢手段は、自重により前記往復回動部材を前記第１位置に付勢するカウンターウエイトで構成されたことを特徴とする請求項１乃至７の何れかに記載の弾球遊技機。
【請求項９】
前記カウンターウエイトは、前記往復回動部材の回動軸と平行に延びた軸状をなし、前記往復回動部材には、前記カウンターウエイトを挿入組み付けしたウエイト保持部が形成されたことを特徴とする請求項８に記載の弾球遊技機。
【請求項１０】
前記遊技領域は、弾球遊技機に備えた遊技盤の前面に形成され、
前記往復回動部材は、前記遊技盤の前面より奥側に配置され、
前記往復回動部材の下方には、前記第１受容部から排出された遊技球を、前記遊技盤の前面に案内する第１案内壁と、前記第２受容部から排出された遊技球を、前記遊技盤の前面に案内する第２案内壁とが形成されたことを特徴とする請求項１乃至９の何れかに記載の弾球遊技機。
【請求項１１】
前記第１案内壁と前記第２案内壁とを区画する区画壁を設けたことを特徴とする請求項１０に記載の弾球遊技機。
【請求項１２】
前記遊技領域のうち前記第２受容部の真下方向には、入球により遊技者に所定の利益を付与するための入賞口が設けられたことを特徴とする請求項１乃至１１の何れかに記載の弾球遊技機。
【請求項１３】
前記遊技領域を流下する遊技球を受けて遊転させる球遊転部を備え、前記往復回動部材を前記球遊転部から流下する遊技球を受入れ可能な位置に配置したことを特徴とする請求項１乃至１２の何れかに記載の弾球遊技機。
【請求項１４】
前記球遊転部は、複数段に形成され、その段差部分に、前記往復回動部材を配置したことを特徴とする請求項１３に記載の弾球遊技機。
【請求項１５】
前記球遊転部には、前記第２受容部に遊技球を案内する傾斜部が形成されたことを特徴とする請求項１３又は１４に記載の弾球遊技機。
【請求項１６】
前記往復回動部材の回動範囲を前記第１位置と前記第２位置との間に制限するストッパを備えたことを特徴とする請求項１乃至１５の何れかに記載の弾球遊技機。
【発明の詳細な説明】
【技術分野】
【０００１】
本発明は、パチンコ遊技機、アレンジボール等に代表される弾球遊技機に関する。
【背景技術】
【０００２】
従来の弾球遊技機では、遊技盤に対して直交する軸を中心に回転する回転体を備え、その回転体の周方向に球受部を複数配設したものが知られている（例えば、特許文献１参照）。この弾球遊技機では、遊技領域を流下する遊技球が、球受部に収容されると、その遊技球の自重によって回転体が回転して、球受部に収容された遊技球が、再度遊技領域に流下されるものであった。
【特許文献１】特開２００１−１０４５５７号公報（段落[００１１]〜[００１３]、第３図）
【発明の開示】
【発明が解決しようとする課題】
【０００３】
ところで、上述した従来の弾球遊技機では、回転体は受容部に収容された遊技球を排出した後で、暫くの間自由回転を行う。ところが、この回転体の動作は、従来の弾球遊技機に備えられていた、所謂、風車と同様な動作であるため、回転体の動作に面白みがなく、遊技の趣向性に欠けていた。
【０００４】
本発明は、上記事情に鑑みてなされたもので、遊技の趣向性を向上することが可能な弾球遊技機の提供を目的とする。
【課題を解決するための手段】
【０００５】
上記目的を達成するためになされた請求項１の発明に係る弾球遊技機は、遊技球が流下する遊技領域に設けられ、第１位置と第２位置との間で往復回動可能に軸支された往復回動部材と、往復回動部材を常には第１位置に保持する付勢手段と、往復回動部材に形成されて、第１位置で遊技球を受容し、その遊技球の自重により付勢手段に抗して往復回動部材を第２位置まで回動させて、第２位置で遊技球を排出する第１受容部と、往復回動部材に形成されて、往復回動部材が第２位置で遊技球を受容する一方、往復回動部材が第１位置に戻ると受容した遊技球を排出する第２受容部とを備え、第１受容部を、往復回動部材に複数設け、それら複数の第１受容部のうち１つにのみ遊技球が受容されたときには、往復回動部材は回動せず、複数の第１受容部に遊技球が受容されたときに往復回動部材が回動するように構成したところに特徴を有する。
【０００６】
請求項２の発明は、請求項１に記載の弾球遊技機において、第２受容部の回動領域に対向配置されて、往復回動部材が第２位置から第１位置に回動する迄の間で、第２受容部から遊技球が転落することを規制する転落規制壁を設けたところに特徴を有する。
【０００７】
請求項３の発明は、請求項１又は２に記載の弾球遊技機において、往復回動部材は、弾球遊技機の左右方向に延びた回動軸を中心に回動するところに特徴を有する。
【０００８】
請求項４の発明は、請求項１乃至３の何れかに記載の弾球遊技機において、第１受容部は、往復回動部材の前面側を回動するように配置されたところに特徴を有する。
【０００９】
請求項５の発明は、請求項１乃至４の何れかに記載の弾球遊技機において、第１受容部の回動領域の途中部分を前面側から覆う前面カバー壁を設けたところに特徴を有する。
【００１０】
請求項６の発明は、請求項５に記載の弾球遊技機において、前面カバー壁の前面上縁部に、テーパー面を形成したところに特徴を有する。
【００１１】
請求項７の発明は、請求項１乃至６の何れかに記載の弾球遊技機において、往復回動部材の外面には、軸方向に延びて遊技球を受容部に案内する案内溝が形成されたところに特徴を有する。
【００１２】
請求項８の発明は、請求項１乃至７の何れかに記載の弾球遊技機において、付勢手段は、自重により往復回動部材を第１位置に付勢するカウンターウエイトで構成されたところに特徴を有する。
【００１３】
請求項９の発明は、請求項８に記載の弾球遊技機において、カウンターウエイトは、往復回動部材の回動軸と平行に延びた軸状をなし、往復回動部材には、カウンターウエイトを挿入組み付けしたウエイト保持部が形成されたところに特徴を有する。
【００１４】
請求項１０の発明は、請求項１乃至９の何れかに記載の弾球遊技機において、遊技領域は、弾球遊技機に備えた遊技盤の前面に形成され、往復回動部材は、遊技盤の前面より奥側に配置され、往復回動部材の下方には、第１受容部から排出された遊技球を、遊技盤の前面に案内する第１案内壁と、第２受容部から排出された遊技球を、遊技盤の前面に案内する第２案内壁とが形成されたところに特徴を有する。
【００１５】
請求項１１の発明は、請求項１０に記載の弾球遊技機において、第１案内壁と第２案内壁とを区画する区画壁を設けたところに特徴を有する。
【００１６】
請求項１２の発明は、請求項１乃至１１の何れかに記載の弾球遊技機において、遊技領域のうち第２受容部の真下方向には、入球により遊技者に所定の利益を付与するための入賞口が設けられたところに特徴を有する。
【００１７】
請求項１３の発明は、請求項１乃至１２の何れかに記載の弾球遊技機において、遊技領域を流下する遊技球を受けて遊転させる球遊転部を備え、往復回動部材を球遊転部から流下する遊技球を受入れ可能な位置に配置したところに特徴を有する。
【００１８】
請求項１４の発明は、請求項１３に記載の弾球遊技機において、球遊転部は、複数段に形成され、その段差部分に、往復回動部材を配置したところに特徴を有する。
【００１９】
請求項１５の発明は、請求項１３又は１４に記載の弾球遊技機において、球遊転部には、第２受容部に遊技球を案内する傾斜部が形成されたところに特徴を有する。
【００２０】
請求項１６の発明は、請求項１乃至１５の何れかに記載の弾球遊技機において、往復回動部材の回動範囲を第１位置と第２位置との間に制限するストッパを備えたところに特徴を有する。
【発明の効果】
【００２１】
［請求項１の発明］
請求項１の弾球遊技機では、往復回動部材が第１位置のときに、第１受容部に遊技球が受容され、その遊技球の自重によって往復回動部材が第２位置に回動する。そして、第２位置で第１受容部から遊技球が排出され、往復回動部材が第１位置に戻る。この動作とは逆に、往復回動部材が第２位置で第２受容部に遊技球が受容され、第１位置で第２受容部から遊技球が排出される。このように、本発明の弾球遊技機では、往復回動部材が往復回動する度に、第１受容部と第２受容部とが遊技球を交互に受容及び排出するので、今までにない遊技球の挙動を楽しむことができる。しかも、遊技球の自重を利用して往復回動部材が往復回動するので、電動式のものに比べてコストを抑えることが可能になる。
【００２２】
また、複数の第１受容部のうち１つにのみ遊技球が受容されたときには、往復回動部材は回動せず、複数の第１受容部に遊技球が受容されたときに往復回動部材が回動するので、往復回動部材が回動する迄の経緯を段階的に楽しむことができる。
【００２３】
［請求項２の発明］
請求項２の弾球遊技機では、往復回動部材が第２位置から第１位置に回動する間で、転落規制壁により第２受容部から遊技球が転落することを規制し、第２受容部による遊技球の移動を安定させることができる。
【００２４】
［請求項３の発明］
請求項３の弾球遊技機では、往復回動部材が、弾球遊技機の左右方向に延びた回動軸を中心に回動するので、遊技球の動きに奥行き感が生まれる。
【００２５】
［請求項４の発明］
請求項４の弾球遊技機によれば、第１受容部による遊技球の通過経路と、第２受容部による遊技球の通過経路とが、往復回動部材を挟んだ前後に分けられ、遊技球の斬新な流下演出を提供することが可能になる。
【００２６】
［請求項５の発明］
請求項５の弾球遊技機では、第１受容部の回動領域の途中部分に設けた前面カバー壁により、往復回動部材の回動中における第１受容部からの遊技球の脱落を防ぐことが可能になる。
【００２７】
［請求項６の発明］
請求項６の弾球遊技機では、第１受容部及び第２受容部に過剰に供給された遊技球がテーパー面に乗り上がってスムーズに排除される。
【００２８】
［請求項７の発明］
請求項７の弾球遊技機では、往復回動部材のうち第１受容部以外の部位に乗った遊技球が案内溝によって第１受容部まで案内され、第１受容部への入球確率を上げることができる。
【００２９】
［請求項８の発明］
請求項８の弾球遊技機では、自重により往復回動部材を第１位置に付勢するカウンターウエイトで付勢手段を構成したので、バネ等の弾性部材で付勢手段を構成した場合に比べて組み付けが容易であると共に、耐久性にも優れる。
【００３０】
［請求項９の発明］
請求項９の弾球遊技機では、カウンターウエイトは、往復回動部材の回動軸と平行に延びた軸状をなしたので、カウンターウエイトの長さを変更するだけで、往復回動部材の回動中心からの位置を変更せずに、重さのみを変更することができ、往復回動部材を回動させるモーメントを容易に調節することが可能になる。
【００３１】
［請求項１０の発明］
請求項１０の弾球遊技機では、第１及び第２の案内壁によって、第１受容部及び第２受容部から遊技領域に遊技球をスムーズに排出することが可能になる。
【００３２】
［請求項１１の発明］
請求項１１の弾球遊技機では、第１と第２の案内壁とを区画する区画壁によって、第１受容部と第２受容部の何れから排出された遊技球であるかを判別し易くなる。
【００３３】
［請求項１２の発明］
請求項１２の弾球遊技機では、第２受容部の真下に入賞口を設けたので、第２受容部から遊技球が排出されたときには、入賞口への入賞確率が高くなる。これにより、第２受容部への入球に対して期待感を持たせることができる。
【００３４】
［請求項１３及び１４の発明］
請求項１３の弾球遊技機では、往復回動部材を球遊転部から流下する遊技球を受入れ可能な位置に配置したことで、球遊転部の何れの位置から遊技球が流下するかによって、第１受容部、第２受容部に入球するか否かが分かれ、球遊転部における遊技球の遊転態様を遊技者に注目させることができる。ここで、球遊転部を複数段に形成して、その段差部分に、往復回動部材を配置してもよい（請求項１４の発明）。
【００３５】
［請求項１５の発明］
請求項１５の弾球遊技機では、球遊転部に形成した傾斜部によって、第２受容部への入球確率が上がる。
【００３６】
［請求項１６の発明］
請求項１６の弾球遊技機では、往復回動部材の回動範囲を第１位置と第２位置との間に制限するストッパを備えたので、往復回動部材が第１及び第２の位置に確実に止まり、遊技球が第１受容部及び第２受容部に出入りする位置が安定する。
【発明を実施するための最良の形態】
【００３７】
［第１実施形態］
以下、本発明を適用したパチンコ遊技機に係る第１実施形態を、図１〜図１２に基づいて説明する。図１に示すように、本実施形態のパチンコ遊技機の遊技盤１１には、ガイドレール１２で囲まれたほぼ円形の遊技領域Ｒ１が形成され、中央部には、表示装置１３が備えられている。遊技領域Ｒ１のうち表示装置１３の下方には、始動入賞口１４（本発明の「入賞口」に相当する）、大入賞口１５及び外れ球受け入れ口１６が、上から順に間隔を開けて並べて設けられている。また、遊技領域Ｒ１のうち表示装置１３等を挟んだ左右の両側には、上から順に、ランプ風車１７、始動ゲート１８、風車１９、一般入賞口２０，２１が設けられ、遊技領域Ｒ１全体に亘って、図示しない複数の障害釘が起立している。また、ガイドレール１２に沿った両側端部には、サイドランプ２２，２２が設けられている。
【００３８】
パチンコ遊技機のうち遊技盤１１より下方には、上皿２７Ａ及び下皿２７Ｂが上下２段にして設けられている。そして、下皿２７Ｂの右端部に設けた操作ノブ２８を操作することで、上皿２７Ａに収容された遊技球が遊技盤１１に向けて弾き出される。また、上皿２７Ａに設けたボタン２９を押せば、上皿２７Ａから下皿２７Ｂに遊技球が移動して収容される。さらに、上皿２７Ａを挟んだ両側には、スピーカ５９Ｓが備えられている。
【００３９】
次に所要の各部位についてさらに詳説する。
始動ゲート１８は、遊技球が潜って通過可能な門形構造をなし、通過した遊技球は、その始動ゲート１８に内蔵したゲートスイッチ３０（図１２参照）によって検出される。そして、その検出信号に基づいて、後述する普通図柄表示領域２４の図柄が変動表示される。
【００４０】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００４１】
始動入賞口１４に遊技球が入賞すると、始動入賞口１４内に設けた始動口スイッチ３１（図１２参照）が遊技球を検出し、その検出信号に基づいて表示装置１３が後述するように図柄を変動表示する。なお、表示装置１３が図柄を変動表示している間に、始動入賞口１４に入賞した入賞球は、４個まで保留記憶される。
【００４２】
大入賞口１５は、横長に形成されて、常には、可動扉１５Ｔにて閉塞されている。そして、後述する所定条件の成立によって、パチンコ遊技機が「大当たり状態」になると、遊技盤１１の裏に設けたソレノイド１５Ｓ（図１２参照）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００４３】
大入賞口１５の内部には、継続入賞口と計数入賞口とが設けられており、これら継続入賞口及び計数入賞口が開放される。より詳細には、可動扉１５Ｔが開いたときには、継続入賞口は開放しており、継続入賞口に入賞後、ソレノイド１５Ｓ（図１２を参照）が駆動されて、継続入賞口が閉鎖される一方、計数入賞口は開放されたままとなる。そして、継続入賞口内に設けた特定領域センサ３２（図１２を参照）が遊技球の入賞を検出すると、前述した終了条件を満たしてラウンドが終了した後で、連続して次のラウンドが実行される条件が成立する。また、計数入賞口内に設けたカウントセンサ３３（図１２参照）が遊技球の入賞を検出すると、前記継続入賞口への入賞球と合わせて、大入賞口１５への入賞球がカウントされ、これらが前記したように計１０個に達したか否かがチェックされる。
【００４４】
表示装置１３は、全体として枠形構造をなした表示枠体２３の後端面に、図示しない液晶モジュール（詳細には、ＴＦＴ−ＬＣＤモジュール）を組み付けてなる。液晶モジュールのうち表示枠体２３によって取り囲まれた前面部分は、表示部３４となっており、遊技者は、表示枠体２３を通して表示部３４に表示された画像を見ることができる。
【００４５】
表示部３４には、図２に示すように、通常は、３つの左、中、右の特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、表示部３４に確定表示されている。そして、始動入賞口１４に遊技球が入賞したときに当否判定し、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００４６】
表示部３４のうち、特別図柄１３Ａ，１３Ｂ，１３Ｃの表示領域の左下隅には、普通図柄表示領域２４が設けられている。この普通図柄表示領域２４は、始動ゲート１８内に設けたゲートスイッチ３０（図１２参照）が遊技球の通過を検出したときに当否判定して、例えば、「０」〜「９」までの数字を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。なお、普通図柄表示領域２４で表示する図柄は、数字に限るものではなく、アルファベットや記号等でもよい。
【００４７】
図４に示すように、表示枠体２３は、その上辺全体が遊技盤１１から突出しており、これにより、表示枠体２３の上方側から遊技球が入らないように規制している。
【００４８】
表示枠体２３の上辺と両側辺の内部には、遊技球が通過する１対のワープ路が左右対称に設けられている。そして、表示枠体２３の上辺の中央部分には、各ワープ路のワープ入口４１が、例えば、横並びになって上方に開口する一方、表示枠体２３の側辺下端部では、各ワープ路のワープ出口４２が、互いに対向するように内側に向かって開口している。
【００４９】
表示枠体２３の下辺には、ステージ７７が設けられている。ステージ７７には、第１と第２の球遊転部７０，７１が前後に並べて形成されると共に、左右方向の中央に往復回動機構１００が備えられている。
【００５０】
図３に示すように、第１球遊転部７０は、前記した両ワープ出口４２，４２の間を繋ぐように延び、両端寄り部分から中央に向かって緩やかに湾曲した昇り坂をなし、中央部分には略水平面７０Ｈが備えられている。
【００５１】
一方、第２球遊転部７１は、左右の端部で第１球遊転部７０と同じ高さとなっており、左右方向の中央に向かうに従って第１球遊転部７０との段差が大きくなっている。そして、第２球遊転部７１の中央には、往復回動機構１００の一部を構成する段丘壁７９が形成されている。
【００５２】
段丘壁７９は、図４に示すように、第１球遊転部７０の水平面７０Ｈを前方に延長しつつ下方に湾曲させて、表示枠体２３における第２球遊転部７１の下方の前面壁７５に連続させた円弧状をなしている。また、段丘壁７９のうち各第２球遊転部７１，７１との境界部分は側壁７９Ｓで閉塞されている。そして、その段丘壁７９と、前面壁７５と、第１球遊転部７０とに上方を覆われた空間に、往復回動部材８０が収容されて往復回動機構１００が構成されている。
【００５３】
なお、図４に示すように、段丘壁７９の両側壁７９Ｓと第２球遊転部７１とが為すコーナー部７８は、前方に向かって下方に傾斜している。これにより、第２球遊転部７１上を段丘壁７９に向かって転動した遊技球が、コーナー部７８で第２球遊転部７１の前方に向かって転がり、表示装置１３の下方へ流下される。
【００５４】
往復回動部材８０は、図６（Ａ）に示すように、全体として円柱状をなして遊技盤１１の左右方向に延びており、その両端面の中心からは軸部８１が突出している。また、図８に示すように、表示枠体２３の前面壁７５の裏面からは、１対の支持片７６（図８には、一方の支持片７６のみが示されている）が後方に延びている。そして、往復回動部材８０を、それら支持片７６の間に挟み、各支持片７６の先端に形成した貫通孔に各軸部８１を嵌合することで、往復回動部材８０が、段丘壁７９、第１球遊転部７０及び前面壁７５の裏面に隣接した状態で保持されかつ回動可能に軸支されている。
【００５５】
往復回動部材８０の両端面には、軸部８１に隣接して係止突片８２が起立している。この係止突片８２は、図８に示すように、支持片７６の先端部に形成した切欠き部７６Ａ内に配され、往復回動部材８０を図８における反時計回りの方向に回動すると、係止突片８２が切欠き部７６Ａの一端側の段差部８７Ａに当接して、往復回動部材８０が本発明に係る「第１位置」に位置決めされる。また、往復回動部材８０を図８における時計回りの方向に回動すると、係止突片８２が切欠き部７６Ａの他端側の段差部８７Ｂに当接して、往復回動部材８０が本発明に係る「第２位置」に位置決めされる。
【００５６】
なお、これら係止突片８２と支持片７６の段差部８７Ａ，８７Ｂとが本発明の「ストッパ」に相当する。また、本実施形態では、第１位置と第２位置との間で、往復回動部材８０が約９０°回動するように構成されている。
【００５７】
図６（Ａ）に示すように、往復回動部材８０の軸方向の両端部には、それぞれ本発明に係る第１受容部９０，９０が形成されている。第１受容部９０は共に遊技球が丁度１球収容される凹状（ポケット構造）をなしている。詳細には、第１受容部９０は、矩形状に開口しており、その開口は、往復回動部材８０を軸方向でほぼ３等配した大きさになっている。また、第１受容部９０の内面は、軸方向を向いた平坦な内側面９１，９１と、それら内側面９１と直交してＵ字状（図９（Ａ）参照）に湾曲した湾曲底面９２とからなる。また、往復回動部材８０が第１位置に位置決めされた状態では、図８及び図９（Ａ）に示すように、第１受容部９０の開放口が真上より僅かに前側上方を向くようになっており、この状態で第１受容部９０に収容された遊技球の重心が、軸部８１と直交する鉛直線に対して、若干前寄りに配置される。これにより、遊技球の自重により往復回動部材８０を回動させるモーメントが発生して、往復回動部材８０が第２位置まで回動される。また、往復回動部材８０が第２位置に位置決めされた状態では、図９（Ｂ）に示すように、第１受容部９０の開放口が斜め下方を向き、第１受容部９０に収容されている遊技球が斜め下方に排出される。
【００５８】
往復回動部材８０のうち第１受容部９０，９０の間の周面には案内溝９３がそれら第１受容部９０，９０を繋ぐように形成されている。案内溝９３は、例えば、長手方向に中央から両端部の各第１受容部９０，９０に向かうに従って深くなっており、これにより、遊技球が案内溝９３に沿って何れかの第１受容部９０に案内され易くなっている。
【００５９】
図６（Ｂ）に示すように、往復回動部材８０の軸方向の中央部には、第２受容部９５が形成されている。第２受容部９５は、往復回動部材８０のうち第１受容部９０，９０と略反対側に開放した溝形状をなしている。また、第２受容部９５は、遊技球が丁度１球収容される横幅になっていると共に、図１０に示すように、往復回動部材８０の断面積の半分以上を切り欠いて遊技球が収容可能な深さになっている。
【００６０】
第２受容部９５の底壁９５Ｓは、後述するように「開閉蓋」として機能し、第２受容部９５の底面９７は、第２受容部９５の開放口に向かって突出した山形状になっている。なお、第２受容部９５のうち幅方向で対向する１対の内側面９６，９６は平坦になっている。
【００６１】
往復回動部材８０が第１位置に位置決めされた状態では、図１０（Ａ）に示すように、第２受容部９５に対して底壁９５Ｓが上方に位置し、上方から遊技球が第２受容部９５に進入することが規制される。また、往復回動部材８０が第２位置に位置決めされた状態では、図１０（Ｂ）に示すように、第２受容部９５に対して底壁９５Ｓが前方側の下方に位置し、第２受容部９５の下端部から遊技球が排出されることが規制される。
【００６２】
図８に示すように、往復回動部材８０のうち第１受容部９０と反対側の外周面には、ウエイト収容溝８３が形成されている。ウエイト収容溝８３は、断面が略円形をなして往復回動部材８０を軸方向で貫通している。また、ウエイト収容溝８３は、第２受容部９５によって２分されており、第２受容部９５の両側のウエイト収容溝８３，８３のそれぞれに円柱状のカウンターウエイト８４，８４が嵌合挿入されている。
【００６３】
そして、それらカウンターウエイト８４，８４は、往復回動部材８０が第１位置にあるときには、図８に示すように、軸部８１を通過する鉛直線状のうち軸部８１の下方に位置する。従って、往復回動部材８０が第２位置まで回動すると、カウンターウエイト８４も軸部８１を中心にして往復回動部材８０と共に略９０度回転し、往復回動部材８０を第１位置に戻すモーメントが発生する。即ち、カウンターウエイト８４は、往復回動部材８０を第２位置から第１位置に戻すように付勢する。そして、第１受容部９０，９０が空の状態では、カウンターウエイト８４の自重による付勢力によって、往復回動部材８０が常には、第１位置に保持される。また、第１位置で１対の第１受容部９０，９０の両方に遊技球が受容されると、それら遊技球の自重によって生じたモーメントが、カウンターウエイト８４の自重によるモーメントに抗して往復回動部材８０を第１位置から第２位置まで回動させる。つまり、両第１受容部９０，９０に遊技球が受容されたときに、往復回動部材８０を第２位置に回動するモーメントが発生する。
【００６４】
図４に示すように、段丘壁７９には、往復回動部材８０を上方から臨む位置に上部開口７４が形成されている。上部開口７４は、その両端に両第１受容部９０，９０が位置するように表示枠体２３の左右方向に延びている。なお、往復回動部材８０のうち第１受容部９０，９０より両端部側は、上部開口７４の縁部によって覆われている。また、往復回動部材８０が第１位置の状態では、図９に示すように、第１受容部９０，９０の前後の開口縁が、上部開口７４の前後の開口縁とほぼ一致し、これにより、第１球遊転部７０から各第１受容部９０に遊技球が入球可能となる。
【００６５】
また、図５に示すように、上部開口７４の前後の開口縁は、長手方向の中央部において前側にシフトしている。即ち、上部開口７４のうち後側の開口縁（図５の符号７４Ｆ）の一部は僅かに前方に突出し、これに対応して、前側の開口縁（図５における符号７４Ｕ）の一部が僅かに前方に窪んでいる。そして、往復回動部材８０が第２位置の状態のときに、図１０（Ｂ）に示すように、第２受容部９５の一端側の開口縁が、上部開口７４のうち前面壁７５側の窪んだ開口縁にほぼ一致し、第２受容部９５の一端が上部開口７４の中央部分で上方に開放される。また、図５に示すように、第１球遊転部７０の前縁部のうち中央の突出した部分には、上部開口７４に向かって僅かに下方に傾斜した傾斜部６４が形成されている。
【００６６】
図４に示すように、前面壁７５には、往復回動部材８０の下半分を前方から臨む位置に球出口６９が形成されている。球出口６９は、表示枠体２３の左右方向において、上部開口７４を同じ大きさをなしている。また、球出口６９は、１対の柱部６８，６８（本発明の「区画壁」に相当する）によって左右方向で３等分され、これにより球出口６９が、左右両端部の第１球出口６９Ａ，６９Ａと、中央の第２球出口６９Ｂとに区画されている。また、中央の第２球出口６９Ｂは両側の第１球出口６９Ａよりも若干下側に配置されている。
【００６７】
図９に示すように、各第１球出口６９Ａ，６９Ａの下縁部からは、奥側に向かって第１案内壁６６Ａが延びている。第１案内壁６６Ａは、後端部が往復回動部材８０の下側に位置すると共に、前側の第１球出口６９Ａに向かうに従って下方に傾斜している。そして、往復回動部材８０が第２位置になると、第１受容部９０に受容されてから排出された遊技球が第１案内壁６６Ａ上を前方へ転動して、第１球出口６９Ａから遊技領域Ｒ１に排出される。
【００６８】
図１０に示すように、第２球出口６９Ｂの下縁部からは、奥側に向かって第２案内壁６６Ｂが延びている。第２案内壁６６Ｂは、往復回動部材８０の下側まで真っ直ぐ延び、さらに往復回動部材８０の周面に沿って上方に湾曲している。第２案内壁６６Ｂは、本発明に係る「転落規制壁」に相当し、第２受容部９５の回動領域に対向して、往復回動部材８０が第２位置から第１位置に回動する迄の間で、第２受容部９５から遊技球が転落することを規制する。
【００６９】
往復回動部材８０が第２位置となると、上部開口７４を通過して第２受容部９５に入球した遊技球が、第２受容部９５の底壁９５Ｓと第２案内壁６６Ｂとの間で保持される（図１０の（Ｂ）の状態）。また、往復回動部材８０が第２位置から第１位置へ回動すると、第２受容部９５の底壁９５Ｓが上方へ移動するのに伴って、第２受容部９５に受容された遊技球が、底壁９５Ｓに当接しながら第２案内壁６６Ｂの傾斜によって前方へ移動する。そして、往復回動部材８０が第１位置となると、第２受容部９５と遊技球とが離間して、第２受容部９５に受容された遊技球が、第１球出口６９Ａから表示枠体２３の前方に流下される。
【００７０】
図４に示すように、段丘壁７９のうち上部開口７４と球出口６９とに挟まれた範囲に、本発明に係る前面カバー壁７３が形成されている。前面カバー壁７３は、往復回動部材８０の周面に沿って湾曲している。そして、前面カバー壁７３は、往復回動部材８０が第１位置から第２位置へと変化するときに、第１受容部９０が通過する領域の一部を覆い、第１受容部９０に受容された遊技球が回動途中で排出されないように規制する。
【００７１】
表示枠体２３のうち球出口６９の下方には、図２に示すように始動入賞口１４が配設されており、遊技領域Ｒ１のうち、表示枠体２３の側方を流下した遊技球よりも、球出口６９から排出された遊技球の方が始動入賞口１４に入賞し易くなっている。より詳細には、球出口６９のうちの第２球出口６９Ｂの真下に、始動入賞口１４の中心が位置している。これにより、中央の第２球出口６９Ｂから排出された遊技球のほとんどは、始動入賞口１４に向けて落下し、可動翼片１４Ｃ，１４Ｃが起立状態（閉じた状態）のときでも入賞し易くなっている。
【００７２】
一方、両側の第１球出口６９Ａ，６９Ａは、始動入賞口１４の中心よりも左右にずれた位置となっている。そして、可動翼片１４Ｃ，１４Ｃが拡開状態のときには、第１球出口６９Ａ，６９Ａから流下された遊技球が可動翼片１４Ｃ，１４Ｃに案内されて入賞可能となっているが、可動翼片１４Ｃ，１４Ｃが起立状態のときは、始動入賞口１４への入賞がし難くなっている。
【００７３】
なお、図１１に示すように、パチンコ遊技機の後面中央には、主制御基板５０が設けられ、この主制御基板５０に重なるようにして、ランプ制御基板５５、音声制御基板５６及び表示制御基板５７が設けられている。また、これら各基板５０，５５，５６，５７の下方には、電源基板、払出制御基板、発射制御基板等の種々の制御基板が設けられている。
【００７４】
次に、上記構成からなるパチンコ遊技機の作用・効果を説明する。
操作ノブ２８を操作して、遊技球が連続的に遊技盤１１の遊技領域における上方部分に弾き出されると、それら遊技球は、障害釘、ランプ風車１７，風車１９等に当たって向きを変えられ、ランダムな経路を通って遊技領域の下方に向かう。
【００７５】
遊技球が、下方に向かう途中で始動ゲート１８を通過すると、普通図柄表示領域２４で、「０」〜「９」までの数字が所定期間に亘って変動表示された後、所定の数字で確定表示される。そして、確定表示された数字が奇数の場合に、可動翼片１４Ｃ，１４Ｃが所定期間に亘って横に倒れ、始動入賞口１４が開く。
【００７６】
遊技球が、下方に向かう途中で、各入賞口１４，１５，２０，２１に入ると、その遊技球は、遊技盤１１の裏側に取り込まれ、代わりに所定数の賞球が上皿２７Ａに払い出される。
【００７７】
また、遊技球が始動入賞口１４に入った場合には、表示装置１３に表示された各特別図柄１３Ａ，１３Ｂ，１３Ｃ（図２参照）が、所定時間に亘ってスクロール表示された後で、順次に停止表示される。そして、３つの特別図柄１３Ａ，１３Ｂ，１３Ｃが、ぞろ目になると、可動扉１５Ｔが所定期間に亘って前側に倒れて、大入賞口１５が開いた「大当たり状態」になる。
【００７８】
さて、幾つかの遊技球は、表示枠体２３の上辺のワープ入口４１に入り込み、ワープ路を通過して、第１球遊転部７０上に放たれる。第１球遊転部７０上に放たれた遊技球は、ワープ路を流下した勢いで、第１球遊転部７０上を左右に転動する。第１球遊転部７０上を転動する遊技球の幾つかは、第１球遊転部７０の両端寄り部分から第２球遊転部７１上に落下し、第２球遊転部７１の下端部から表示装置１３の下方へ流下する。また、第１球遊転部７０上に放たれた遊技球のうちの幾つかは、第１球遊転部７０の中央部分から、段丘壁７９の上部開口７４に向かって転がる。
【００７９】
往復回動部材８０が第１位置のときに上部開口７４に向かって転がった遊技球は、図７（Ａ）に示すように、第１球遊転部７０の左右寄り位置から第１受容部９０に直接入球するか、第１球遊転部７０の中央位置から往復回動部材８０の周面上に形成された案内溝９３に案内されて第１受容部９０に収容される（図４を参照）。なお、本実施形態では、往復回動部材８０が第１位置となったときに、第１球遊転部７０の中央位置から上部開口７４へ向かった遊技球は、一部が案内溝９３によって第１受容部９０に案内されるが、ほとんどは、往復回動部材８０の周面を横切って、段丘壁７９の前端から表示装置１３の下方へ流下される。
【００８０】
さて、第１受容部９０，９０の何れか一方だけに遊技球が受容されたときには、往復回動部材８０は回動せず、第１受容部９０，９０の両方に遊技球が受容されると、その遊技球の自重によって往復回動部材８０が回動する。ここで、往復回動部材８０の回動領域の途中が前面カバー壁７３によって覆われているので、往復回動部材８０の回動途中で、第１受容部９０に受容された遊技球が零れることがないし、他の遊技球によって往復回動部材８０の回動が妨げられることも防がれる。
【００８１】
往復回動部材８０が第２位置と至ると、図９（Ｂ）に示すように、第１受容部９０，９０の開放口が斜め下方を向き、第１受容部９０に受容された遊技球が排出される。そして、第１案内壁６６Ａに案内されて第１球出口６９Ａから表示装置１３の下方に排出される。
【００８２】
また、往復回動部材８０が第２位置となると、図７（Ｂ）及び図１０（Ｂ）に示すように、第２受容部９５の上端部が上部開口７４を通して上方に開放され、第２受容部９５の下端部が第１球遊転部７０の第２案内壁６６Ｂの中間部分に位置して第２球出口６９Ｂが閉じられる。換言すると、遊技球通過路１０２の球入口としての上部開口７４が開放される一方、遊技球通過路１０２の球出口としての第２球出口６９Ｂが、「開閉蓋」としての第２受容部９５の底壁９５Ｓによって塞がれる。これにより、上部開口７４から第２受容部９５内に入球した遊技球は、第２受容部９５（遊技球通過路１０２）内に一時的に保持される。
【００８３】
往復回動部材８０が第２位置となり、両第１受容部９０，９０に受容された遊技球が排出されると、カウンターウエイト８４の自重によるモーメントにより、往復回動部材８０が第１位置に戻される。往復回動部材８０が第１位置に戻ると、図１０（Ａ）に示すように、第２受容部９５の上端部が第１球遊転部７０の下方に位置して上部開口７４が閉じられ、第２受容部９５の下端部が第２球出口６９Ｂを通して開放される。換言すると、遊技球通過路１０２の球出口としての第２球出口６９Ｂから「開閉蓋」としての第２受容部９５の底壁９５Ｓが上方に退避して、その第２球出口６９Ｂが開放される一方、遊技球通過路１０２の球入口としての上部開口７４が「開閉蓋」としての第２受容部９５の底壁９５Ｓによって塞がれる。これにより、上部開口７４から第２受容部９５への遊技球の入球が規制される一方、第２受容部９５内に保持されていた遊技球が、第２受容部９５から排出される。即ち、遊技球通過路１０２内に一時的に保持されていた遊技球が、第２受容部９５から排出される。即ち、遊技球通過樋１０２内に一時的に保持されていた遊技球が第２球出口６９Ｂから遊技領域Ｒ１に排出される。
【００８４】
さて、球出口６９から排出された遊技球は、始動入賞口１４に向かって流下する。始動入賞口１４に備えた可動翼片１４Ｃ，１４Ｃが拡開された状態（開いた状態）では、第１受容部９０及び第２受容部９５から排出された遊技球のほとんどが、直接或いは可動翼片１４Ｃ，１４Ｃに案内されて始動入賞口１４に入賞し易くなっている。また、可動翼片１４Ｃ，１４Ｃが起立状態（閉じた状態）では、両第１受容部９０，９０から排出された遊技球の多くは、始動入賞口１４を外れて流下するが、第２受容部９５は始動入賞口１４の真上に位置しているので、第２受容部９５から排出された遊技球は高い確率で始動入賞口１４に入賞する。
【００８５】
即ち、第２受容部９５（遊技球通過路１０２）に遊技球が入球してから排出されることで、表示装置１３の特別図柄１３Ａ，１３Ｂ，１３Ｃがスクロール表示される回数が多くなり、従って、「大当たり状態」になる可能性が高くなる。
【００８６】
このように、本実施形態のパチンコ遊技機によれば、往復回動部材８０が往復回動する度に、第１受容部９０と第２受容部９５（遊技球通過路１０２）とが遊技球を交互に受容及び排出するので、今までにない遊技球の挙動を楽しむことができる。
【００８７】
また、第１受容部９０に受容された遊技球は、往復回動部材８０の前側を通過し、第２受容部９５（遊技球通過路１０２）に受容された遊技球は、往復回動部材８０の一部の後側を通過するので、往復回動部材８０を一部を挟んで前後に分かれて遊技球が通過することになり、遊技球の動きに奥行き感が生まれ、この点においても、今までにない遊技球の挙動を楽しむことができる。また、１対の第１受容部９０，９０のうち１つにのみ遊技球が受容されたときには、往復回動部材８０は回動せず、両方に遊技球が受容された状態でのみ、往復回動部材８０が回動するので、往復回動部材８０が回動する迄の経緯を段階的に楽しむことができる。
【００８８】
さらに、第２受容部９５（遊技球通過路１０２）の球出口（第２球出口６９Ｂ）の真下方向に始動入賞口１４を設けたので、第２受容部９５（遊技球通過路１０２）から遊技球が排出されたときには、始動入賞口１４への入賞確率が高くなり、第２受容部９５（遊技球通過路１０２）への入球に対して期待感を持たせることができる。
【００８９】
また、遊技球及びカウンターウエイト８４の自重を利用して往復回動部材８０が往復回動するので、電動式のものやバネ等の弾性部材を用いたものに比べてコストを抑えることできかつ組み付けが容易であると共に、耐久性にも優れる。また、カウンターウエイト８４は、往復回動部材８０の回動軸と平行に延びた軸状をなしたので、カウンターウエイト８４の長さを変更するだけで、往復回動部材８０の回動中心からの位置を変更せずに、重さのみを変更することができ、往復回動部材８０を回動させるモーメントを容易に調節することが可能になる。
【００９０】
さらに、往復回動部材８０の回動範囲を第１位置と第２位置との間に制限するストッパ（係止突片８２及び支持片７６の段差部８７Ａ，８７Ｂ）を備えたので、往復回動部材８０が第１及び第２の位置に確実に止まり、遊技球が第１受容部９０及び第２受容部９５（遊技球通過路１０２）に遊技球が出入りする位置が安定する。
【００９１】
［第２実施形態］
本実施形態は、図１３及び図１４に示されており、前記第１実施形態とは往復回動部材８０における第２受容部９５の構造のみが異なる。以下、第１実施形態と異なる構成に関してのみ説明する。本実施形態における第２受容部１１０は、図１３に示すように、往復回動部材８０を軸方向と直交する方向に貫通したトンネル構造になっている。また、第２受容部１１０の一端の開放口が、球入口１１１となっており、第２受容部１１０の他端の開放口が、球出口１１２となっている。
【００９２】
本実施形態では、図１４（Ｂ）に示すように、往復回動部材８０が第２位置となると、球入口１１１が上部開口７４に整合して第２受容部１１０に遊技球が入球可能となるとともに、球出口１１２が第２案内壁６６Ｂによって塞がれ第２受容部１１０内に遊技球が保持される。また、図１４（Ａ）に示すように、往復回動部材８０が第１位置になると、球入口１１１が第１球遊転部７０の下方に位置して閉じられると共に、球出口１１２が第２球出口６９Ｂに整合して開かれ、第２受容部１１０内に保持された遊技球が排出される。即ち、本実施形態では、第１球遊転部７０及び第２案内壁６６Ｂが、球入口１１１及び球出口１１２を開閉するための「開閉蓋」の役割を果たす。本実施形態の構成によっても、第１実施形態と同様の作用効果を奏する。
【００９３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００９４】
（１）前記第１及び第２の各実施形態では、弾球遊技機の一例としてパチンコ遊技機を例示したが、本発明はこれに限られず、例えばアレンジボール等に本発明を適用してもよい。
【００９５】
（２）前記実施形態では、第１球遊転部７０の両端寄り部分の全体から、第２球遊転部７１に遊技球が落下可能に構成されていたが、第１球遊転部７０の前縁部の一部に突条を設け、第１球遊転部７０の途中から第２球遊転部７１へ遊技球が落下し難い構成としてもよい。
【００９６】
（３）前記実施形態では、第１球遊転部７０は、中央部分が両端寄り部分よりも高くなっていたが、両端寄り部分から中央部分に向かって下方に傾斜するように構成してもよい。このようにすれば、第１球遊転部７０上を転動する遊技球の多くを往復回動部材８０へ案内することができる。
【００９７】
（４）前記実施形態では、第１受容部９０が２つ設けられていたが、２つ以外の複数設けてもよい。また、第２受容部９５は１つであったが、複数設けてもよい。
【００９８】
（５）前記実施形態では、第２受容部９５は、往復回動部材８０の周面の一部を残して所定幅で切欠いた構成であったが、この構成に限るものではなく、例えば、第１受容部９０と同じ形状であってもよい。
【００９９】
（６）前記実施形態における前面カバー壁７３の上縁部（上部開口７４の下縁部７４Ｕ）をテーパー面にすることで、第１及び第２の受容部９０，９５に過剰に供給された遊技球がそのテーパー面に乗りあがってスムーズに排除される構成にしてもよい。
【図面の簡単な説明】
【０１００】
【図１】本発明の一実施形態に係るパチンコ遊技の正面図
【図２】遊技盤の正面図
【図３】表示枠体の正面図
【図４】往復回動部材が第１位置のときの表示枠体の斜視図
【図５】往復回動部材が第２位置のときの表示枠体の斜視図
【図６】（Ａ）第１位置のときの往復回動部材の斜視図、（Ｂ）第２位置のときの往復回動部材の斜視図
【図７】（Ａ）往復回動部材が第１位置のときの段丘部の平面図、（Ｂ）往復回動部材が第２位置のときの段丘部の平面図
【図８】往復回動部材の側面図
【図９】（Ａ）往復回動部材が第１位置のときの第１受容部の側断面図、（Ｂ）往復回動部材が第２位置のときの第１受容部の側断面図
【図１０】（Ａ）往復回動部材が第１位置のときの第２受容部の側断面図、（Ｂ）往復回動部材が第２位置のときの第２受容部の側断面図
【図１１】パチンコ遊技機の背面図
【図１２】パチンコ遊技機の電気的構成を表すブロック図
【図１３】（Ａ）第２実施形態の往復回動部材が第１位置のときの斜視図、（Ｂ）その往復回動部材が第２位置のときの斜視図
【図１４】（Ａ）その往復回動部材が第１位置のときの第２受容部の側断面図、（Ｂ）その往復回動部材が第２位置のときの第２受容部の側断面図
【符号の説明】
【０１０１】
６６Ａ  第１案内壁
６６Ｂ  第２案内壁
６８  柱部（区画壁）
６９  球出口
６９Ａ  第１球出口
６９Ｂ  第２球出口
７０  第１球遊転部
７１  第２球遊転部
７３  前面カバー壁
７４  上部開口
７５  前面壁
７６  支持片（ストッパ）
８０  往復回動部材
８２  係止突片（ストッパ）
８３  ウエイト収容溝
８４  カウンターウエイト
９０  第１受容部
９３  案内溝
９５，１１０  第２受容部
９５Ｓ  底壁
１０２  遊技球通過路
１１１  球入口
１１２  球出口
Ｒ１  遊技領域
【図１】
2008062082.tif 000003
【図２】
2008062082.tif 000004
【図３】
2008062082.tif 000005
【図４】
2008062082.tif 000006
【図５】
2008062082.tif 000007
【図６】
2008062082.tif 000008
【図７】
2008062082.tif 000009
【図８】
2008062082.tif 000010
【図９】
2008062082.tif 000011
【図１０】
2008062082.tif 000012
【図１１】
2008062082.tif 000013
【図１２】
2008062082.tif 000014
【図１３】
2008062082.tif 000015
【図１４】
2008062082.tif 000016